(57)【要約】【課題】本発明では、複数のマット層が積層されたマットレスであって、ベッドの背上げ時に、簡単な構造で、マットレスが足元方向にズレ動くことを防止すると同時にマットレスの上半分側が上方にスムーズにズレ動くようにする、特に積層されたマット層の上半身側であって、互いにスムーズにズレを生じるようにすることを目的とする。【解決手段】背上げ可能なベッド１に適用可能なマットレス１０であって、マットレス１０が、第１マット層１１と該第１マット層１１の上に積層された第２マット層１２とを備え、該第１マット層１１と該第２マット層１２との間であって、該マット層１１，１２の長手方向に見て上半身側に第１滑り部材１７が配設され、下半身側は該第１マット層１１と該第２マット層１２が直接接触している。【選択図】図２
2010115440.tif 000002
【特許請求の範囲】
【請求項１】
背上げ可能なベッドに適用可能なマットレスであって、
第１マット層と該第１マット層の上に積層された第２マット層とを備え、
該第１マット層と該第２マット層との間であって、該マット層の長手方向に見て上半身側半分に第１滑り部材が配設され、下半身側は該第１マット層と該第２マット層が直接接触していることを特徴とするマットレス。
【請求項２】
背上げ可能なベッドに適用可能なマットレスであって、
第１マット層と該第１マット層の上に積層された第２マット層とを備え、
該第１マット層と該第２マット層との間であって、該マット層の長手方向に見て上半身側半分に第１滑り部材が配設され、
該第１滑り部材は、該第２マット層の下面側に位置する下面滑材及び該第１マット層の上面側に位置する上面滑材からなることを特徴とするマットレス。
【請求項３】
請求項２において、
該下面滑材及び該上面滑材は、該マットレスの長手方向の略中央付近で折り返して重ねられて設けられていることを特徴とするマットレス。
【請求項４】
請求項１ないし３のいずれか１つにおいて、
上記マットレスは、取り外し可能なカバー部材で覆われており、該カバー部材に前記第１滑り部材が取り付けられていることを特徴とするマットレス。
【請求項５】
請求項４において、
該カバー部材は、該第１マット層の上半身側半分を包む第１袋状部と、該第２マット層の上半身側半分を包む第２袋状部と、該第１マット層と該第２マット層の下半身側半分を一緒に包む大袋状部からなることを特徴とするマットレス。
【請求項６】
請求項５において、
該上面滑材が第１袋状部の上面に一体に設けられ、該下面滑材が第２袋状部の下面に一体に設けられていることを特徴とするマットレス。
【請求項７】
請求項５又は６において、
該カバー部材は、外カバー部材と内カバー部材を備え、
該内カバー部材が、第１内袋状部、第２内袋状部及び大内袋状部を有することを特徴とするマットレス。
【請求項８】
請求項７において、
該外カバー部材は、該内カバー部材全体を覆う袋体部材からなることを特徴とするマットレス。
【請求項９】
請求項７において、
該外カバー部材は、該内カバー部材の該第１内袋状部を覆う第１外袋状部、該第２内袋状部を覆う第２外袋状部、該大内袋状部を覆う大外袋状部を有することを特徴とするマットレス。
【請求項１０】
請求項１ないし９のいずれか１つにおいて、
該第２マット層の上に更に第３マット層が積層され、該第２マット層と該第３マット層との間にも上半身側半分に第２滑り部材が配設されていることを特徴とするマットレス。
【発明の詳細な説明】
【技術分野】
【０００１】
本発明は、背上げ可能なベッドにおいて、寝床部を形成するマットレスが複数のマット層を積層してなるものであって、背上げに伴ってマットレスが屈曲された際に、マット層間のズレを許容することで、使用者に負担を与えないようにしたマットレスに関する。
【背景技術】
【０００２】
ベッドは、その上に横たえる人体の動きを補助するために、ベッドフレーム上に複数のボトムと称する可動部を設置し、これらボトムの動作を制御することによって、その上に載置される可撓性のマットレスを屈曲させ所望の形状に変形し得るように設計されている。
【０００３】
しかして、上記ボトムの動作のうちで、最も頻度の高いものは、上体を起こす動きを補助するために行われ、上体部分を横たえる位置に設置される背ボトムを傾斜させる、いわゆる背上げの動作である。
【０００４】
このようなベッドは、横たえる人の快適性等のために複数のマット層が積層されたマットレスが良く使われている。このような複数のマット層を積層したマットレスでは、ボトムを背上げさせる際に、積層の下側（ボトム側）のマット層は大きく湾曲し、上側（横たえる人側）のマット層は小さく湾曲するために、上側のマット層が下側のマット層に比較して相対的に上方にずれるような力が作用する。
【０００５】
このマット層間のズレが許容されないと、上側のマット層に圧縮力が作用して、背中が下方へ押圧されるとともに臀部が後方（湾曲の内側）へ引き込まれるから、身体の、特に腹部が圧迫されるということがある。
【０００６】
そこで、従来では、複数のマット層間のズレを許容するようにしたマットレスとして、次のようなものが提案されている。
【０００７】
第１のマット層と第２のマット層が積層されたマットレスにおいて、第１のマット層と第２のマット層との間に、互いのマット層間のズレを許容するための滑沢性シ−トが設けられたものが知られている（例えば、特許文献１参照）。
【特許文献１】特開平１０−２７６８６２号公報
【発明の開示】
【発明が解決しようとする課題】
【０００８】
特許文献１のものでは、一対の第１のマット層と、この第１のマット層が上下面に接合された第２のマット層との三層構造となったマットレスであって、第２のマット層は第１のマット層に比べて表面が滑沢性を有し、その上下面に接合された第１のマット層と互いに滑動し易い材料、たとえば発泡ポリエステルなどの材料によって矩形シ−ト状に成形されている。或いは、滑動し易い材料をマット層間に挟むようにする構成となっている。さらに、この第２のマット層には湾曲させ易いようにするために、長手方向中途部の上下面に幅方向に沿う切欠が長手方向に所定間隔で形成されている。その上、第１のマット層と第２のマット層とは長手方向中央の、上記切欠が形成された個所からずれた部分が接着剤によって接着固定されている。
【０００９】
それによって、マットレスを第２のマット層の切欠が形成された長手方向中途部で湾曲させたとき、上記接着剤による結合個所よりも切欠側に位置する一端側（上半身側）で、第１のマット層と第２のマット層とが曲率の違いによって互いに滑動しながら湾曲することができるようにすることを狙っている。
【００１０】
しかしながら、このようなベッドでは、背上げ時に、第１のマット層と第２のマット層との上半身側が互いに滑って、且つ下半身側が滑らないようにするために、マット層間を接着剤で接合する或いは連結糸で結ぶ等の追加作業を行っている。このようなマットレスでは、マット層間を接着剤で接着する作業が必要であるだけでなく、接着剤がマット層内に染み込まないようにする、互いのマット層がずれないようにして接着するように細心の注意をはらって接着作業を行う必要がある、また連結糸で結ぶ際には大きな手間がかかる等の不具合を有する。
【００１１】
更に、滑動し易い材料をマット層間に挟むことを開示しているが、マットと滑動し易い材料との間では十分な滑り性能を得ることができず、背上げ時のマット層間の相対的なズレを許容する動きができないという不具合を有する。
【００１２】
本発明では、複数のマット層が積層されたマットレスであって、ベッドの背上げ時に、簡単な構造で、マットレスが足元方向にズレ動くことを防止すると同時にマットレスの上半分側が上方にスムーズにズレ動くようにする、特に積層されたマット層の上半身側であって、互いにスムーズにズレが生じるようにすることを目的とする。
【課題を解決するための手段】
【００１３】
請求項１の発明は、背上げ可能なベッドに適用可能なマットレスであって、
第１マット層と該第１マット層の上に積層された第２マット層とを備え、該第１マット層と該第２マット層との間であって、該マット層の長手方向に見て上半身側半分に第１滑り部材が配設され、下半身側は該第１マット層と該第２マット層が直接接触していることを特徴とする。
【００１４】
請求項２の発明は、背上げ可能なベッドに適用可能なマットレスであって、
第１マット層と該第１マット層の上に積層された第２マット層とを備え、該第１マット層と該第２マット層との間であって、該マット層の長手方向に見て上半身側半分に第１滑り部材が配設され、該第１滑り部材は、該第２マット層の下面側に位置する下面滑材及び該第１マット層の上面側に位置する上面滑材からなることを特徴とする。
【００１５】
請求項３の発明は、請求項２において、該下面滑材及び該上面滑材は、該マットレスの長手方向の略中央付近で折り返して重ねられて設けられていることを特徴とする。
【００１６】
請求項４の発明は、請求項１ないし３のいずれか１つにおいて、上記マットレスは、取り外し可能なカバー部材で覆われており、該カバー部材に前記第１滑り部材が取り付けられていることを特徴とする。
【００１７】
請求項５の発明は、請求項４において、該カバー部材は、該第１マット層の上半身側半分を包む第１袋状部と、該第２マット層の上半身側半分を包む第２袋状部と、該第１マット層と該第２マット層の下半身側半分を一緒に包む大袋状部からなることを特徴とする。
【００１８】
請求項６の発明は、請求項５において、該上面滑材が第１袋状部の上面に一体に設けられ、該下面滑材が第２袋状部の下面に一体に設けられていることを特徴とする。
【００１９】
請求項７の発明は、請求項５又は６において、該カバー部材は、外カバー部材と内カバー部材を備え、該内カバー部材が、第１内袋状部、第２内袋状部及び大内袋状部を有することを特徴とする。
【００２０】
請求項８の発明は、請求項７において、該外カバー部材は、該内カバー部材全体を覆う袋体部材からなることを特徴とする。
【００２１】
請求項９の発明は、請求項７において、該外カバー部材は、該内カバー部材の該第１内袋状部を覆う第１外袋状部、該第２内袋状部を覆う第２外袋状部、該大内袋状部を覆う大外袋状部を有することを特徴とする。なお、請求項５における第１袋状部、第２袋状部及び大袋状部は、それぞれ、第１内袋状部と第１外袋状部、第２内袋状部と第２外袋状部、大内袋状部と大外袋状部を含む概念である。
【００２２】
請求項１０の発明は、請求項１ないし９のいずれか１つにおいて、該第２マット層の上に更に第３マット層が積層され、該第２マット層と該第３マット層との間にも上半身側半分に第２滑り部材が配設されていることを特徴とする。
【発明の効果】
【００２３】
本発明の請求項１によれば、背上げ時にマットレスの積層したマット層の上半身側が互いに滑らかにズレ（相対的な移動）を生じることできる。それと共に、背上げ時に、滑らかにズレを発生させることによって、横たえる人の背中や臀部にかかる圧迫感を確実に低減できる。
【００２４】
本発明の請求項２によれば、上面滑材と下面滑材との相対的な滑りが滑らかであり、背上げ時にマットレスの積層したマット層の上半身側が互いに滑らかにズレ（相対的な移動）を生じることできる。
【００２５】
本発明の請求項３によれば、背上げ時に、マット層間の相対的なズレを更に確実に実現することができると共に、マット層間への滑り部材の設置作業が容易に行える。更に、背上げ時から、マットレスが元の状態（フラット状態）に戻った際には、折り返した部分がスムーズに元に戻るので、マットレスを背上げと元の状態を繰り返して行っても、滑り部材が所定位置に安定して維持される。
【００２６】
本発明の請求項４によれば、カバー部材が滑るので、背上げ時に内部のマット層が滑らかにズレ動作を行うことができる。特に、カバー部材に第１滑り部材が取り付けられており、マット層には、取り付けられてないので、マット層の相対的な滑りが良好である。
【００２７】
本発明の請求項５によれば、背上げ時に内部のマット層間の相対的な滑りを確実に実現できる。それと共に、カバー部材でマット層を確実に包むことができ、背上げ時以外（移送時や組立時等）の時でマット層が縦横方向に相対的に移動してばらけることを防止でき、マット層の持ち運び等が容易である。
【００２８】
本発明の請求項６によれば、カバー部材をマット層に被せるだけで第１滑り部材を所定位置にセットでき、装着が容易である。取り外しも容易である。
【００２９】
本発明の請求項７によれば、カバー部材を２重構造とすることで、カバー部材としての機能と背上げ時の滑りの両方を効果的に行うことができる。
【００３０】
本発明の請求項８によれば、外カバー部材は、最も外側になるカバー部材として、外観性、シール性、触感性等の外カバー部材の要求される機能を満足するような素材及び構造とし、内カバ―部材に背上げ時の滑り機能を持たせるようにすれば良く、外カバー部材及び内カバー部材の組合せ自由度が拡大できる。
【００３１】
本発明の請求項９によれば、背上げ時に外カバー部材によってマット層が相対的に滑るようになっているので、コストを低減できる。
【００３２】
本発明の請求項１０によれば、背上げ時に、第１マット層と第２マット層、第２マット層と第３マット層との間で、滑らかなズレが生じるので、横たえる人の背中や臀部にかかる圧迫感を更に確実に低減できる。特に、積層数を３層以上とすることができるので、横たえる人の身体状態に応じたマット層を選択することができ、マット層の硬度、反発性や層厚などの選択自由度が増加する。
【００３３】
本発明では、マット層間に介在させた滑り部材間で互いに滑らす場合には、マット層との滑り性は問わなくて、互いに良く滑る素材からなるシート材（本発明では、ネット状の構造もシート材に含む）であれば特に限定されないが、シーツ、フイルム等の薄肉のシート材からなるものが好ましい。滑り部材の素材としては、ポリエステル、ポリエチレン等の合成樹脂からなるシート材等が使用できる。
【００３４】
本発明の滑り部材は、上半身側のみに設けるが、臀部に少しかかる程度、或いは、臀部にかからない程度で設けることも可能である。また、滑り部材は、マット間に敷設するのみでもよく、カバー部材等に固定しても良い。マット層に接合しない場合には、敷設するだけでよく組立が容易である。またマット層に固定する場合には、端部だけを固定して、滑って移動する部位は固定しないようにすれば良い。また、滑り部材を上面滑材と下面滑材として介在させる場合には、上面滑材と下面滑材とを臀部に近い側で折り畳んだ構成として、１枚の滑り部材を単に敷設するようにすれば、設置が容易である。
【００３５】
本発明の第１マット層としては、底付き防止機能を重視した中密度高反発性ウレタンフォームで、比較的硬めのものが好適である。第２マット層としては、寝心地を重視した中密度高反発性ウレタンフォームで、比較的柔らかめのものが好適である。第３マット層としては、体圧分散性及び寝心地を重視した高反発ウレタンフォームで比較的柔らかめのものが好適である。
【００３６】
ベッドに設けられた背上げ機構は、一般的にボトムと言われフレームに設けられているが、本発明では、このボトムも含めてベッドと称して説明する。
【００３７】
本実施形態では、滑り防止部材は、ベッドの所定位置（利用者の臀部に対応する位置）に敷設して、その上に外カバー部材を被せたマットレスを重ねて配置するようにしている。この方法では作業が簡便であり、滑り防止部材を取り替えることもできる。なお、この滑り防止部材をベッド側或いは外カバー部材側に、例えばマジックテープ（登録商標）、ホック等で、取外し可能に取り付けるようにしても良い。この場合には、滑り防止部材を確実に所定位置に保持できる点で有効である。更には、滑り防止部材と外カバー部材等とをラミネート法を用いて貼り合わせるようにしても良い。本発明では、滑り防止部材を敷設する代わりに、滑り止め加工を施すようにしても良い。その場合の滑り止め加工は、外カバー部材の裏面に滑り止め加工を施せばよい。滑り止め加工の１つである塗布方法としては、マットレスの裏面やベッドの表面等にドクターナイフコーターやロールコーター等を使用して、ゴムや合成樹脂等の高摩擦素材をコーティングする方法がある。
【００３８】
また、滑り止め加工や滑り防止部材に用いるゴム又は合成樹脂としては、スチレン−ブタジエンゴム、ニトリルゴム、ブタジエンゴム、イソプレンゴム、ブチルゴム、クロロプレンゴム、シリコーンゴム、ウレタンゴム、フッ素ゴム、塩化ビニル系樹脂、エチレン系樹脂等のマット裏面の摩擦係数を大きくすることができるものが好ましい。
【発明を実施するための最良の形態】
【００３９】
以下、本発明の実施形態を図面に基づいて詳細に説明する。なお、以下の好ましい実施形態の説明は、本質的に例示に過ぎず、本発明、その適用物或いはその用途を制限することを意図するものではない。
【００４０】
（実施形態１）
図１ないし図５に基づいて、本発明の実施形態１を説明する。
【００４１】
図１は、通常に用いられている背上げ機構付きのベッドの斜視図を示す。図２も示すように、ベッド１には、利用者Ｈの背中に対応しており、背上げ機構（図示省略）によって背上げされる背ボトム２、利用者の臀部Ｄに対応する座ボトム３、人の脚部の膝Ｃより上側に対応する膝ボトム４と膝より下側の脚ボトム５が設けられている。膝ボトム４と脚ボトム５との連結部分は、起伏機構６によって持ち上げられるようになっている。７は頭部用のパネルを示し、脚部用パネルは省略した。
【００４２】
図２は、図１のベッドにマットレスを重ねて敷設し、背上げした状態を説明する側面図を示す。図３は、図２の状態でのマットレスの部分拡大断面図を示す。図４は、図２に使用したマットレスの断面図を示す。図２〜図４に示すように、マットレス１０は、第１マット層１１、第２マット層１２及び第３マット層１３が積層されて構成されている。図４に示すように、マットレス１０は、伸縮可能なネット状の内カバー部材１８に被われている。内カバー部材１８の外側に外カバー部材１６が被されている。なお、本発明では、内カバー部材１８と外カバー部材１６とを総称してカバー部材と言う。外カバー部材１６の詳細構造は、後で説明する。内カバー部材１８や外カバー部材１６は、上下方向途中に、チャック、マジックテープ（登録商標）等によって開閉可能になっておりマット層から取り外し可能になっている。
【００４３】
第１滑り部材１４は、下面滑材１４ａが第２マット層１２の下面側に、また上面滑材１４ｂが第１マット層１１の上面側にそれぞれ位置して、折曲げ部１４ｄで折り曲げられて、第２マット層１２の下面と第１マット層１１の上面との間に挟まれて介在している。第１滑り部材１４の端部１４ｃが内カバー部材１８に縫い合わされて、固定されている。第２滑り部材１５は、下面滑材１５ａが第３マット層１３の下面側に、また上面滑材１５ｂが第２マット層１２の上面側にそれぞれ位置して、折曲げ部１５ｄで折り曲げられて、第３マット層１３の下面と第２マット層１２の上面との間に挟まれて介在している。第２滑り部材１５の端部１５ｃが内カバー部材１８に縫い合わされて、固定されている。第１滑り部材１４及び第２滑り部材１５は、背上げ時に相対的に滑ったほうが良い部分（即ちマットレスの上半身側）に敷設されるものであって、本実施形態では、マットレス１０の上半身側に相当する長さで、マットレスの幅と同じ幅を有する広さを有して、配設されている。
【００４４】
図５に基づいて、外カバー部材１６の詳細構造を説明する。
【００４５】
外カバー部材１６は、上半身側１６ａと下半身側１６ｂとで別素材からなっている。背上げ時に伸縮できるように、外カバー部材１６の上半身側１６ａに、伸縮部材１７が設けられている。具体的には、上面部位１６ｃは、汚れ等が染み込まなくて、拭き掃除し易いように、防水性に優れた素材、例えばウレタン合皮材等からなっている。それに対して、下面部位１６ｆは、上面部位１６ｃほどの防水性は必要とされず、ナイロン等の低コスト材が使用されている。下半身側１６ｂは、上側側面部位１６ｅ１と下側側面部位１６ｅ２とからなる。後面部位は、上側後面部位１６ｇ１と下側後面部位１６ｇ２とからなる。その中で、下面部位１６ｆの臀部に相当する位置には、第１伸縮部材１７ａが設けられ、下面部位１６ｆは、前側の第１下面部位１６ｆ１と後側の第２下面部位１６ｆ２とからなっている。側面部位１６ｄは、上側側面部位１６ｄ１と下側側面部位１６ｄ２からなる。下側側面部位１６ｄ２には第２伸縮部材１７ｂが設けられている。これらの第１伸縮部材１７ａ及び第２伸縮部材１７ｂが、上述した伸縮部材１７を構成している。第１下面部位１６ｆ１、第２下面部位１６ｆ２、下側側面部位１６ｅ２、下側後面部位１６ｇ２が下面部位１６ｆと同じ素材からなり、上側側面部位１６ｅ１、上側後面部位１６ｇ１、上側側面部位１６ｄ１は上面部位１６ｃと同じ素材からなる。
【００４６】
特に、上面部位１６ｃとしては伸縮性を備えるウレタン合皮を使用するが、防水性や防湿性を重要視するために、伸縮性は背上げ時のマット層のズレを許容する十分な伸縮性を有するものとすることができない。そのために、本実施形態では、上面部位１６ｃの伸縮性の不足を補うために、側面部位１６ｄ２には第２伸縮部材１７ｂが設けられて、この第２伸縮部材１７ｂの伸びによって、背上げ時のマット層間のズレを補助するようにしている。なお、上面部位１６ｃは、マット層１１の長さよりも少し長めの大きさにして、少し緩めを備えた状態とすることが好ましい。
【００４７】
このような構成とすることで、背上げ時に図２及び図３に示すように、マットレス１０の第１マット層１１、第２マット層１２、第３マット層１３が相対的にズレル動きを生じた際に、外カバー部材１６の上半身部分が伸びることが必要である。実施形態１では、外カバー部材１６の上面部位１６ｃは、上述したようにシール性を優先しており、伸縮性は余りない素材となっている。即ち、背上げ時のズレを許容するほどの伸長性を有してないが、少し緩みを持って設けられている（即ち、マット層１３の長さに対して、外カバー部材のほうが少し長くなっている）、それと同時に、側面部位１６ｄが伸縮性を有する第２伸縮部材１７ｂからなるので、背上げ時に、外カバー部材１６の上半身側１６ａがマット層１１，１２，１３の相対的なズレに伴って、マット層１３が上方にズレルことを許容するようになっている。
【００４８】
実施形態１では、第１伸縮部材１７ａと第２伸縮部材１７ｂとで伸縮部材１７を構成しているが、下面部位１６ｆの上半身側も含めて伸縮部材１７としても良い。更には、上面部位１６ｃの上半身側も含めて伸縮部材１７としても良い。
【００４９】
実施形態１では、上延したように、マットレス１０の各マット層１１，１２，１３間では、上半身側には滑り部材が介在され、下半身側は直接マット層同士が接触することで、背上げ時に、上半身側で互いにズレが生じ、下半身側ではズレが生じないようになっている。それと共に、ベッド１に対して、マットレス１０（外カバー部材１６、内カバー部材１８を含む）の上半身側が上方にズレを生じて移動し、下半身側がズレを生じないようにするために、さらに、滑り防止部材２０を設けている。滑り防止部材２０は、ベッド１とマットレス１０との間であって、座ボトム３から膝ボトム４を覆って、さらに脚ボトム５の一部を覆うように、滑り防止部材２０が敷設されている。即ち、臀部Ｄから膝部Ｃにかけて、ウレタンシート等の高摩擦係数を有すものからなる滑り防止部材２０を敷設している。滑り防止部材２０はその横幅は横たわる人の臀部Ｄが位置する大きさであれば良く、座ボトム３の横幅いっぱいの幅ほどはなくて良い。
【００５０】
実施形態１において背上げ動作を行った場合の動作状態を、図２に基づいて説明する。
【００５１】
この動作機構は、背ボトム２の傾斜動作の初期に、膝ボトム４と脚ボトム５との連結部分が起伏機構６によって上方に持ち上げられる。この動作状態の時に、従来では、マットレスが足元方向にずれる動きが見られる。しかし、本発明では、滑り防止部材２０がベッド１の上面であって、座ボトム３、膝ボトム４及び脚ボトム５の一部に跨って敷設されているので、膝ボトム４と脚ボトム５との連結部分が上昇した際に、人の膝などで、滑り防止部材２０が連結部分の方に押圧されているので、滑り防止部材２０が下方（足下方向）にずれることが防止され、その上、座ボトム４の人の臀部Ｄが滑り防止部材２０の上に乗っかかって、人の体重が大きくかかる状態になるので、滑り防止部材２０を間に挟んで、座ボトム３とマットレス１０とが密着され、相対的ズレ動きが阻止されるようになる。
【００５２】
そして、連続してさらに、背ボトム２を大きく傾斜させていくと、背ボトム２の傾斜によって、マットレス１０のマット層１１，１２，１３の上半分側１１ａ，１２ａ，１３ａが起こされる。この時に、マット層１１，１２，１３の上半分側１１ａ，１２ａ，１３ａと下半分側１１ｂ，１２ｂ，１３ｂとは、背ボトム２と座ボトム３との折れ曲がり状態のように鋭角に折れ曲がることができずに、緩やかに折れ曲がるために、背ボトム２に対してマットレス１０の上半分側が上方にずれて移動することとなる。即ち、内カバー部材１８の上半身側１８ａ（マットレス１０の上半分側）が大きく傾斜するにつれて、図２及び図３に示すように、上方にずれる動作を取るようになる。この時に、マット層１１，１２，１３の間に第１滑り部材１７ａ、第２滑り部材１７ｂが敷設されているので、滑らかにズレを生じ、横たえる人の臀部や背中に圧迫感を与えることなく且つ不快感を与えることなく、背上げを行える。また、元のフラットな状態にマットレス１０を戻す時にも、滑らかにズレを生じて、各マット層１１，１２，１３は元の状態に戻ることができる。
【００５３】
即ち、第１滑り部材１４の下面滑材１４ａと上面滑材１４ｂとの間が滑りやすくなっているので、第２マット層１２は第１マット層１１に対して滑って、上方にズレル動きをスムーズに行える。同様に、第２滑り部材１５の下面滑材１５ａと上面滑材１５ｂとの間が滑りやすくなっているので、第３マット層１３は第２マット層１２に対して滑って、上方にズレル動きをスムーズに行える。
【００５４】
特に、第１滑り部材１４、第２滑り部材１５は、それぞれ、折返し部１４ｄ，１５ｄで折り返しているので、敷設することが容易であるとともに、互いに滑った際や元に戻る際にも、シワシワになりにくい。
【００５５】
（実施形態２）
図６ないし図８に基づいて実施形態２を説明する。実施形態２において、実施形態１と同じ部位は同じ符号とし、説明を省略する。図６は、実施形態２のマットレスの断面図を示し、図７はそのマットレスのカバー部材の斜視図を示す。図８は、マットレスのズレを説明するために、マットレスの一部を大きく開いて拡げた状態を示す。図６において、第１マット層１１、第２マット層１２及び第３マット層１３は、内カバー部材２８に包まれている。内カバー部材２８は、第１マット層１１の上半身側半分を包む第１内袋状部２８１、第２マット層１２の上半身側半分を包む第２内袋状部２８２、第３マット層１３の上半身側半分を包む第３内袋状部２８３、及び第１マット層１１、第２マット層１２、第３マット層１３の下半身側半分全体を包む大内袋状部２８４を有する。
【００５６】
第１内袋状部２８１の上面に上面滑材２８ｂ、第２内袋状部２８２の下面に下面滑材２８ａ、第２内袋状部２８２の上面に上面滑材２８ｂ、第３内袋状部２８３の下面に下面滑材２８ａが設けられ、他の部分は、合成樹脂等のネット状構造となっている。特に、上面滑材２８ｂと下面滑材２８ａはポリエチレン、ポリエステル等の合繊樹脂製の１枚のシート材から連続して形成され、ネット状部分に縫い合わされて結合されている。
【００５７】
外カバー部材２６は、第１マット層１１、第２マット層１２、第３マット層１３全体を一緒に大きく包む袋体部材となっている。なお、外カバー部材２６の長さは、内部の第３マット層１３の長さよりも長くなっており、背上げ時に第３マット層１３が、第２マット層１２に対するズレの動きを許容するようになっている。
【００５８】
第２実施形態では、内カバー部材２８の上面滑材２８ｂ及び下面滑材２８ａとによって、背上げ時にはマット層１１，１２，１３が相対的に滑らかにズレルことができる。それと共に、背上げ時に、滑らかにズレを発生させることによって、横たえる人の背中や臀部にかかる圧迫感を確実に低減できる。
【００５９】
なお、第２実施形態では、上面滑材２８ｂと下面滑材２８ａとを、ネット構造とせずに、フイルムシート状のものとしたが、他の部分と同様にネット構造としても良い。また、他のネット部も、この上面滑材２８ｂと下面滑材２８ａと同じもので一緒に形成した構造としても良い。
【００６０】
なお、実施形態２では、第１マット層１１と第２マット層の間、第２マット層１２と第３マット層の間に滑り部材を設けたが、一方の間だけに設けても良い。
【００６１】
（実施形態３）
図９ないし図１１に基づいて実施形態３を説明する。実施形態３において、実施形態１と同じ部位は同じ符号とし、説明を省略する。図９は、実施形態３のマットレスの断面図を示す。図１０は、マットレスのズレを説明するために、マットレスの一部を大きく開いて拡げた状態を示す。図１１は外カバー部材の斜視図を示す。図９において、第１マット層１１、第２マット層１２及び第３マット層１３は、合成樹脂等からなるネット状の内カバー部材２８に包まれている。内カバー部材２８は、第１マット層１１の上半身側半分を包む第１内袋状部２８１、第２マット層１２の上半身側半分を包む第２内袋状部２８２、第３マット層１３の上半身側半分を包む第３内袋状部２８３、及び第１マット層１１、第２マット層１２、第３マット層１３の下半身側半分全体を包む大内袋状部２８４を有する。
【００６２】
内カバー部材２８の外側に外カバー部材３６が被されている。
【００６３】
実施形態３が実施形態２と異なるのは、実施形態２のように下面滑材２８ａと上面滑材２８ｂとしてシート状の滑り部材を用いるのではなく、他の部分と同じネットで構成されている点である。この場合には、内カバー部材２８の製造コストを低減できると共に組付けが容易である。
【００６４】
外カバー部材３６も、内カバー部材２８と同様に、第１マット層１１の上半身側半分を包む第１外袋状部３６１、第２マット層１２の上半身側半分を包む第２外袋状部３６２、第３マット層１３の上半身側半分を包む第３外袋状部３６３、及び第１マット層１１、第２マット層１２、第３マット層１３の下半身側半分全体を包む大外袋状部３６４を有する。これらの第１外袋状部３６１、第２外袋状部３６２及び第３外袋状部３６３の互いに接触する面に下面滑材３６ａ、上面滑材３６ｂが、実施形態２の内カバー部材２８と同様に設けられている。この構造によって、背上げ時には、下面滑材３６ａと上面滑材３６ｂが相対的に滑らかにズレ動作をできる。下面滑材３６ａ、上面滑材３６ｂは滑りやすいポリエチレンやポリスチレン等の合成樹脂からなるシート材からなり、他の部分は低コストのナイロン等からなる。
【００６５】
上面カバー３６５は、図１１に示すように、裏返すように下側に押し下げて、第１外袋状部３６１、第２外袋状部３６２、第３外袋状部３６３を包み隠すようにして、見映えを良くしている。なお、上面カバー３６５を外カバー部材３６に一体に設けなくて、別部材としても良い。チャック部３６６の開閉で内部の内カバー部材２６を取り出すことができるようになっている。
【００６６】
なお、外カバー部材３６を被せる前に、内カバー部材２６の第１外袋状部３６１、第２外袋状部３６２、第３外袋状部３６３がバラバラになって持ち難い、運び難い場合には、マジックバンド付きのひも部材で３者をバラバラにならないようにまとめておいても良い。
【００６７】
実施形態３では、背上げ時には、ネット状の下面滑材２８ａ、上面滑材２８ｂが互いに滑ると同時にスムーズに変形するので、背上げ時に、内部に配置された第１マット層１１、第２マット層１２、第３マット層１３が相対的に滑らかなズレ動作を行うことができる。
【００６８】
この実施形態３では、内カバー部材２８は、全体がネット状の部材からなるが、実施形態２と同様な構造としても良い。
【００６９】
本発明では、第１滑り部材１４の端部１４ｃと第２滑り部材１５の端部１５ｃは、固定する方が、位置決めして敷設しやすく、背上げを繰り返した際にも、大きく位置がずれる可能性が少ないので好ましく、実施形態１では、第１滑り部材１４と第２滑り部材１５を内カバー部材１８に縫い合わせて固定し、実施形態２では、内カバー部材２８の一部となっている。このように第１滑り部材１４と第２滑り部材１５を内側のマット層に固定してない構造では、滑り部材だけでなくマット層と滑り部材との滑りもあり、マット層のズレが滑らかにできると共にマット層とは別に取替え・洗濯できる点で優れる。
【００７０】
なお、第１滑り部材１４と第２滑り部材１５を、内カバー部材１８でなく、他の部材、例えば、各マット層１１，１２，１３等に固定しても良い。その場合には、第１滑り部材１４、第２滑り部材１５の端部を各マット層１１，１２，１３の端部に固定し、第１滑り部材１４、第２滑り部材１５の固定してない部分は、各マット層１１，１２，１３に対して滑ることができるようになっていることが好ましい。
【００７１】
また、場合によっては、固定せずに単に、マット層間に介在させて、敷設するだけでも良い。固定手段は縫い合わせでなくても良く、接着、スナップ等の固定手段でも良い。
【００７２】
上記実施形態ではいずれも、第１滑り部材１４と第２滑り部材１５とを、第１マット層１１と第２マット層１２との間、第２マット層１２と第３マット層１３との間に、それぞれ介在させたが、場合によっては、一方だけに介在させても良い。また、どの実施形態でも、第１マット層１１、第２マット層１２、第３マット層１３と３層が積層された構造であったが、３層に限られるものではなく、２層、４層、５層…等で積層されたものでも良い。
【００７３】
本発明では、滑り防止部材２０の長さは、座ボトム３から膝ボトム４と脚ボトム５の連結部分までの長さを有する方が、ズレ止め機能に優れる。しかし、場合によっては、座ボトム３のみ、座ボトム３と膝ボトム４までの長さ等にして敷設しても良い。滑り防止部材２０の横幅方向の長さは、実施形態１のように座ボトム３の横幅より短くて良く、又座ボトム３の横幅と同じ大きさでも良い。
【００７４】
なお、上記実施形態では、滑り防止部材２０を設けて、ベッド１とマットレス１０との間の滑りも制御するようにしたが、ベッド１とマットレス１０との相対的な滑りがそれほど気にならないような関係で設けられている場合には、滑り防止部材２０を設けないで済ますことも可能である。
【００７５】
また、ベッドの各ボトムは、ネット状からなるが、これに限られるものではない。
【００７６】
マットレス１０は、このウレタン等のクッション材に限られるものではなく、エアマットレス、ウオーターマットレス、クッション材入りのマットレス等の各種のマットレスが使用できる。
【産業上の利用可能性】
【００７７】
以上説明したように、本発明は、必要に応じて寝床部を昇降させて介護したり、寝床部を背上げさせて楽な姿勢でくつろぐことのできるベッド、特に病人や老人介護に適した背上げ機能付きベッド等に適用できる。
【図面の簡単な説明】
【００７８】
【図１】本発明の実施形態１に係わるベッドの概略斜視図を示す。
【図２】図１のベッドにマットレスを重ねて敷設し、背上げした状態を説明する側面図を示す。
【図３】図２の部分拡大断面図を示す。
【図４】実施形態１のマットレスの断面図を示す。
【図５】実施形態１の外装シート部材の斜視図を示す。
【図６】実施形態２のマットレスの断面図を示す。
【図７】実施形態２のマットレスのカバー部材の斜視図を示す。
【図８】実施形態２において、マットレスのズレを説明するために、マットレスの一部を大きく開いて拡げた状態を示す。
【図９】実施形態３のマットレスの断面図を示す。
【図１０】実施形態３において、マットレスのズレを説明するために、マットレスの一部を大きく開いて拡げた状態を示す。
【図１１】実施形態３の外カバー部材の斜視図を示す。
【符号の説明】
【００７９】
１  ベッド
１０  マットレス
１１  第１マット層
１２  第２マット層
１３  第３マット層
１４  第１滑り部材
１４ｄ  折返し部
１５  第２滑り部材
１６，２６，３６  外カバー部材
１８，２８  内カバー部材
【図１】
2010115440.tif 000003
【図２】
2010115440.tif 000004
【図３】
2010115440.tif 000005
【図４】
2010115440.tif 000006
【図５】
2010115440.tif 000007
【図６】
2010115440.tif 000008
【図７】
2010115440.tif 000009
【図８】
2010115440.tif 000010
【図９】
2010115440.tif 000011
【図１０】
2010115440.tif 000012
【図１１】
2010115440.tif 000013